(57)【要約】【課題】可動部を繰り返し動かしてもボルトが緩まず、可動部を姿勢保持手段によってしっかり保持することが可能な折り畳み式器具を提供する。【解決手段】安全サークル（可動部）６が背もたれ部（本体部）３に対して枢支手段１４により折り畳み可能に枢支されると共に姿勢保持手段１５により折り畳み状態及び使用状態で保持され、枢支手段１４は、安全サークル６側の枢支孔１７を貫通して背もたれ部３に螺合されるボルト１８と、このボルト１８の軸部１８ａに套嵌されて枢支孔１７に挿通されるカラー１９とを備え、姿勢保持手段１５として、カラー１９に套嵌されて安全サークル６を背もたれ部３側に押圧するコイルバネ３２を備えた子供用椅子（折り畳み式器具）において、カラー１９の外端部側にコイルバネ３２の外端部が当接する鍔部３０を設け、カラー１９の背もたれ部３に対する軸廻りの回転を阻止する回転阻止手段２４を設けたものである。【選択図】図４
0003159525.tif 000002
【実用新案登録請求の範囲】
【請求項１】
本体部（３）と、該本体部（３）に対して折り畳み可能な可動部（６）と、該可動部（６）を前記本体部（３）に枢支する枢支手段（１４）と、前記可動部（６）を前記本体部（３）に対して折り畳み状態を含む所定の姿勢で保持する姿勢保持手段（１５）とを備え、前記枢支手段（１４）は、前記可動部（６）に形成された枢支孔（１７）を貫通して前記本体部（３）に螺合されるボルト（１８）と、該ボルト（１８）の軸部（１８ａ）に套嵌されて前記枢支孔（１７）に挿通される筒状体（１９）とを備え、前記姿勢保持手段（１５）として、前記筒状体（１９）に套嵌されて前記可動部（６）を前記本体部（３）側に押圧するコイルバネ（３２）を備えた折り畳み式器具において、前記筒状体（１９）の外端部側に前記コイルバネ（３２）の外端部が当接する鍔部（３０）を設けると共に、前記筒状体（１９）の前記本体部（３）に対する軸廻りの回転を阻止する回転阻止手段（２４）を備えたことを特徴とする折り畳み式器具。
【請求項２】
前記回転阻止手段（２４）を、前記筒状体（１９）又は前記本体部（３）に設けられた凸状の嵌合部（３１）と、前記本体部（３）又は前記筒状体（１９）に設けられ且つ前記嵌合部（３１）が嵌合する凹状の被嵌合部（２３）とで構成したことを特徴とする請求項１に記載の折り畳み式器具。
【請求項３】
前記本体部（３）には前記ボルト（１８）に対応するナット（１６）が固定されており、前記ナット（１６）に前記本体部（３）側の前記被嵌合部（２３）又は嵌合部（３１）を設けたことを特徴とする請求項２に記載の折り畳み式器具。
【請求項４】
前記姿勢保持手段（１５）は、前記本体部（３）の前記可動部（６）に対する第１摺接面（２２）上に設けられた凹部（３３）又は凸部（３５）と、前記可動部（６）の前記本体部（３）に対する第２摺接面（３４）上に設けられた凸部（３５）又は凹部（３３）とを備え、少なくとも前記折り畳み状態において前記凸部（３５）が前記凹部（３３）に嵌合し、前記コイルバネ（３２）の押圧力によってその嵌合状態が保持されるように構成したことを特徴とする請求項１〜３の何れかに記載の折り畳み式器具。
【請求項５】
前記折り畳み式器具は、前記本体部（３）を構成する背もたれ部（３）が壁面等に固定されると共に、前記背もたれ部（３）の下部前側に連結された座部（４）と、その座部（４）の前側に連結されたストッパー部（５）と、前記可動部（６）を構成し且つ前記ストッパー部（５）と前記背もたれ部（３）とをそれらの左右両側で互いに連結する安全サークル（６）とを前記背もたれ部（３）に対して折り畳み可能に設けた子供用椅子（１）であることを特徴とする請求項１〜４の何れかに記載の折り畳み式器具。
【考案の詳細な説明】
【技術分野】
【０００１】
本考案は、公共施設の洗面所等の壁面に設置される子供用椅子などの折り畳み式器具に関するものである。
【背景技術】
【０００２】
可動部を本体部に対して折り畳み可能とし、不使用時には可動部をコンパクトに折り畳むことで狭いスペースを効率的に使用できるようにした折り畳み式器具としては、例えば特許文献１に記載されているような子供用椅子がある。この子供用椅子は、例えば公共施設の洗面所等に設置され、子供を連れた人が身繕い等をする間だけ一時的に子供を座らせておくためのもので、壁面等に固定される背もたれ部と、この背もたれ部の下側に折り畳み自在に連結される座部と、この座部の前側に折り畳み自在に連結されるストッパー部と、後端側が背もたれ部に、前端側がストッパー部に夫々枢支される左右一対の安全サークルとを備え、座部と安全サークルとが前方に突出する使用状態と起立する折り畳み状態との間で姿勢変更自在に構成されている。
【０００３】
またこの子供用椅子では、安全サークルの後端部に枢支孔が形成され、ボルトの軸部に套嵌されたカラー（筒状体）をその枢支孔に挿通させ、そのボルトを背もたれ部に埋め込まれたナットに螺合することにより、安全サークルが背もたれ部に対して枢支されているが、この安全サークルと背もたれ部との枢支部に姿勢保持手段を設けることにより、折り畳み状態と使用状態とでそれぞれの姿勢が保持されるようになっている。
【０００４】
即ち、その姿勢保持手段は、背もたれ部の安全サークルに対する摺接面上に設けられた保持凹部と、安全サークルの背もたれ部に対する摺接面上に設けられ且つ使用状態及び折り畳み状態のときに夫々背もたれ部側の保持凹部に嵌脱自在に嵌合する保持凸部と、ボルトの頭部と安全サークルにおける枢支孔の外側の面との間でカラーに套嵌されるコイルバネとを備え、このコイルバネによって安全サークルが背もたれ部側に押圧されることによって保持凹部に対する保持凸部の嵌合状態が保持され、安全サークル等の姿勢が折り畳み状態又は使用状態で保持されるようになっている。
【先行技術文献】
【特許文献】
【０００５】
【特許文献１】特開２００３−１５９１６２号公報
【考案の概要】
【考案が解決しようとする課題】
【０００６】
特許文献１に記載の子供用椅子では、コイルバネの一端側がボルトの頭部に、他端側が安全サークルにおける枢支孔の外側の面に夫々当接しており、またカラーも単にボルトの軸部に套嵌されているだけである。従って、コイルバネやカラーが安全サークルとの間の摩擦力によって安全サークルと共にボルトの軸廻りに回動する可能性があり、それらコイルバネやカラーを介してボルトに軸廻りの回転力が作用することにより、安全サークルを折り畳み状態と使用状態との間で繰り返し回動させるうちに徐々にボルトが緩んでしまう虞があった。ボルトが緩むと、コイルバネによる押圧力が低下するため、保持凹部に対する保持凸部の嵌合が弱くなって例えば折り畳み状態でしっかりと姿勢を保持することができなくなり、安全サークルや座部の自重、外部から伝わる振動等によって自然に使用状態側に開いてしまう場合がある。
【０００７】
本考案は上記事情に鑑みてなされたものであり、その目的とするところは、可動部を繰り返し動かしてもボルトが緩むことがなく、可動部を姿勢保持手段によって所定の姿勢でしっかり保持することが可能な折り畳み式器具を提供することにある。
【課題を解決するための手段】
【０００８】
本考案は、本体部３と、該本体部３に対して折り畳み可能な可動部６と、該可動部６を前記本体部３に枢支する枢支手段１４と、前記可動部６を前記本体部３に対して折り畳み状態を含む所定の姿勢で保持する姿勢保持手段１５とを備え、前記枢支手段１４は、前記可動部６に形成された枢支孔１７を貫通して前記本体部３に螺合されるボルト１８と、該ボルト１８の軸部１８ａに套嵌されて前記枢支孔１７に挿通される筒状体１９とを備え、前記姿勢保持手段１５として、前記筒状体１９に套嵌されて前記可動部６を前記本体部３側に押圧するコイルバネ３２を備えた折り畳み式器具において、前記筒状体１９の外端部側に前記コイルバネ３２の外端部が当接する鍔部３０を設けると共に、前記筒状体１９の前記本体部３に対する軸廻りの回転を阻止する回転阻止手段２４を備えたものである。
【考案の効果】
【０００９】
本考案によれば、回転阻止手段２４によって筒状体１９の本体部３に対する軸周りの回転が阻止されるため、可動部６の回転動作に伴って筒状体１９が回転することはなく、従ってこの筒状体１９を介して可動部６の回転動作がボルト１８側に伝わることはない。また、コイルバネ３２はその外端側が筒状体１９の鍔部３０に当接し、ボルト１８には当接しないため、このコイルバネ３２が可動部６と共に回転したとしてもその回転動作がボルト１８に伝わることはない。
【００１０】
即ち、本考案の折り畳み式器具では、可動部６の回転動作が筒状体１９やコイルバネ３２を介してボルト１８に伝達されることがないため、可動部６の姿勢変化を繰り返しても、それによってボルト１８が緩むことがなく、従ってコイルバネ３２による押圧力も低下せず、可動部６を姿勢保持手段１５によって常に折り畳み状態を含む所定の姿勢でしっかり保持することが可能である。
【図面の簡単な説明】
【００１１】
【図１】本考案の一実施形態を示す子供用椅子の正面図である。
【図２】同じく子供用椅子の側面図である。
【図３】同じく背もたれ部と安全サークルとの連結部の分解斜視図である。
【図４】同じく背もたれ部と安全サークルとの連結部の平面断面図である。
【図５】同じく背もたれ部と安全サークルとの連結部における背もたれ部側の側面図である。
【考案を実施するための形態】
【００１２】
以下、本考案の実施形態を図面に基づいて詳述する。図１〜図５は本考案を子供用椅子に採用した一実施形態を例示している。本実施形態に係る子供用椅子１は、図１及び図２に示すように、公共施設の洗面所等の壁面に固定される固定フレーム部２と、この固定フレーム部２の上部に固定される背もたれ部（本体部）３と、この背もたれ部３の下部前側に折り畳み自在に連結される座部４と、この座部４の前側に折り畳み自在に連結されるストッパー部５と、後端側が背もたれ部３に、前端側がストッパー部５に夫々枢支される安全サークル（可動部）６とを備え、座部４及び安全サークル６が前方に突出すると共にストッパー部５がそれらの前側で起立する使用状態（図２に実線で示す）と、座部４、ストッパー部５及び安全サークル６が背もたれ部３の前側に沿って起立する折り畳み状態（図２に二点鎖線で示す）との間で姿勢変更自在に構成されている。
【００１３】
固定フレーム部２は、背もたれ部３等を壁面に支持するためのもので、例えば金属製の補強フレーム２ａ（図１）とその補強フレーム２ａを前側から覆う合成樹脂製のフレームカバー２ｂとで縦長状に形成されており、例えばその上部側が、壁面に固定された取付具（図示省略）に対してボルト７等により着脱自在に固定され、また下端部が、床面に埋め込まれたアンカーナット（図示省略）に対してボルト８等により着脱自在に固定されている。
【００１４】
背もたれ部３、座部４及びストッパー部５は、合成樹脂により夫々中空状に成型されると共に、背もたれ部３の下端側と座部４の後端側とを屈曲自在に連結する第１連結部９と、座部４の前端側とストッパー部５の下端側とを屈曲自在に連結する第２連結部１０とを介して一体に成型されている。
【００１５】
背もたれ部３は、固定フレーム部２の上端部を覆うようにその前側に着脱自在に固定されており、例えば正面視で縦長の略楕円状に形成されると共に、その左右方向幅が下部側から上部側にかけてその略中央の段部３ａにおいて不連続的に絞られている。そして、それら左右の段部３ａの上側に安全サークル６の後端側が夫々横軸廻りに回転可能な状態で連結されており、図２に二点鎖線で示す折り畳み状態のときに安全サークル６が背もたれ部３の上部側の外縁部に前側から嵌合するようになっている。
【００１６】
座部４は、例えば平面視で略円形状に形成されると共に、その上面側には緩やかな凹みが形成されており、第１連結部９を介して背もたれ部３の下部前側に横軸廻りに屈曲自在に連結されている。そして座部４には、図２に示すように、その後端側に第１連結部９の下側近傍を経て後方に突出する突出板１１が固定されており、その突出板１１の後端側が、第１連結部９から後方に離れた位置に設けられた固定フレーム部２側の受け部１２に下側から当接することにより、略水平な使用状態で保持されるようになっている。
【００１７】
ストッパー部５は、子供が股間に挟んで落下を防止するためのもので、正面視で略縦長楕円状に形成されると共に、側面視で若干前側に湾曲しており、下端側が第２連結部１０を介して座部４の前端側に横軸廻りに屈曲自在に連結され、上端側の左右に安全サークル６の前端側が横軸廻りに回動自在に連結されている。
【００１８】
安全サークル６は、座部４上の子供の胴を左右両側から取り囲んで脱落を防止するためのもので、前後方向の細長状に形成されると共にその前端側がストッパー部５側へと内側に円弧状に湾曲する左右一対のアーム６ａにより構成されており、合成樹脂により中空状に成型されている。この安全サークル６は、左右のアーム部６ａの前端側が左右方向のボルト１３等を介してストッパー部５の左右両側に夫々回動自在に連結され、また後端側が背もたれ部３の左右の側面に左右方向の枢支手段１４及び姿勢保持手段１５を介して夫々回動自在に連結されている。
【００１９】
枢支手段１４は、安全サークル６の後端側を背もたれ部３に枢支するもので、図３〜図５に示すように、背もたれ部３の左右の側面に埋め込まれたナット１６と、安全サークル６の後端側に設けられた枢支孔１７を貫通してナット１６に螺合されるボルト１８と、このボルト１８の軸部１８ａに套嵌されて枢支孔１７に挿通されるカラー（筒状体）１９とで構成されている。
【００２０】
ナット１６は、その軸方向両端側に夫々半径方向に張り出す第１鍔部２０と第２鍔部２１とを一体に備えている。第１鍔部２０と第２鍔部２１とは、例えば共に軸方向視正方形に形成されており、ナット１６は、第１鍔部２０側の端面２０ａが背もたれ部３の側面の第１摺接面２２と略面一となるように、インサート成形により背もたれ部３内に埋め込まれている。第１摺接面２２は例えば円形の平坦面で、背もたれ部３における段部３ａの上側の側面３ｂ上に設けられ、例えばその周囲の面よりも左右方向外側に若干突出しており、ナット１６は、その中心軸が第１摺接面２２の中心と一致するように配置されている。なお、第２鍔部２１は省略してもよい。
【００２１】
また、ナット１６の第１鍔部２０側の端面２０ａ上には、ねじ孔１６ａの外側に軸方向に凹入する嵌合穴（被嵌合部）２３が複数形成されている。それら複数の嵌合穴２３は、カラー１９の背もたれ部３に対する軸廻りの回転を阻止する回転阻止手段２４を構成するもので、例えば第１鍔部２０を貫通しない所定深さに形成され、周方向に等角度間隔で配置されている。本実施形態では、第１鍔部２０の４つの角部に対応して４つの嵌合穴２３が設けられているものとする。
【００２２】
安全サークル６の後端側には、左右方向の貫通孔２５が形成され、その貫通孔２５の内端側、即ち背もたれ部３側端部には、その内周側に突出する一定幅の突出壁２６が一体に設けられており、その突出壁２６の内側が枢支孔１７、突出壁２６よりも外側が大径部２７となっている。ボルト１８は、大径部２７側から枢支孔１７に挿通され、ナット１６のねじ孔１６ａに螺合されると共にその頭部１８ｂが大径部２７内に収容されるようになっている。なお、ボルト１８を締め付けて安全サークル６を背もたれ部３に連結した後、ボルト１８の頭部１８ｂには化粧キャップ１８ｃ（図４）を装着してもよい。
【００２３】
カラー１９は、ボルト１８の軸部１８ａが挿通可能な挿通孔２８を有する略円筒状の筒状部２９と、その筒状部２９の後端側に設けられた鍔部３０と、筒状部２９の先端側の端面に設けられ且つナット１６側の嵌合穴２３に対応する複数の嵌合突起（嵌合部）３１とを一体に備えている。
【００２４】
筒状部２９は、少なくともその先端側の外径が枢支孔１７の内径よりも若干小さく形成されている。また、後端側の鍔部３０は、例えば周方向一定幅で半径方向に張り出しており、その外径は大径部２７の内径よりも若干小さくなっている。嵌合突起３１は、ナット１６側の嵌合穴２３と共に回転阻止手段２４を構成するもので、ナット１６側の嵌合穴２３に対応して、挿通孔２８の外側に等角度間隔で複数（ここでは４つ）設けられている。
【００２５】
このカラー１９は、その先端側が枢支孔１７に挿通され、後端側の鍔部３０が大径部２７内に収容された状態で挿通孔２８にボルト１８が挿通され、そのボルト１８の頭部１８ｂが後端側の端面に当接することにより枢支孔１７内に保持される。このとき、カラー１９の先端側の嵌合突起３１がナット１６側の嵌合穴２３に嵌合するため、カラー１９はナット１６に対して軸周りの回転が阻止された状態となる。
【００２６】
姿勢保持手段１５は、カラー１９の筒状部２９に套嵌されるコイルバネ３２と、背もたれ部３側の第１摺接面２２上に設けられた保持凹部３３と、第１摺接面２２に摺接する安全サークル６側の第２摺接面３４上に設けられた保持凸部３５とで構成されている。
【００２７】
コイルバネ３２は、安全サークル６側の第２摺接面３４を背もたれ部３側の第１摺接面２２側に押圧するもので、カラー１９の筒状部２９に套嵌されており、その一端側がカラー１９の鍔部３０の軸方向内面側に、他端側が突出壁２６の軸方向外面側に夫々当接してそれらの間で圧縮された状態で貫通孔２５の大径部２７内に収容されている。
【００２８】
保持凸部３５は、第２摺接面３４から例えば略半球状に突出しており、枢支孔１７の外側の同一周上に１又は複数、例えば図３に示すように枢支孔１７を挟んで２つ設けられている。保持凹部３３は、保持凸部３５が嵌合可能な形状に形成されており、図５に示すように、安全サークル６が使用状態（図５に二点鎖線で示す）のときの保持凸部３５の位置に対応して設けられた使用状態保持凹部３３ａと、安全サークル６が折り畳み状態（図５に一点鎖線で示す）のときの保持凸部３５の位置に対応して設けられた折り畳み状態保持凹部３３ｂとを備えている。
【００２９】
以上のような本実施形態の子供用椅子１では、使用状態及び折り畳み状態のときには、安全サークル６側の保持凸部３５が背もたれ部３側の使用状態保持凹部３３ａ、折り畳み状態保持凹部３３ｂに夫々嵌合すると共に、コイルバネ３２が保持凸部３５を保持凹部３３ａ，３３ｂ側に押圧することによってその嵌合状態が保持されるため、安全サークル６に一定以上の回転力が加わらない限りその姿勢で保持される。
【００３０】
一方、使用状態又は折り畳み状態のときに安全サークル６に一定以上の回転力が加えられると、コイルバネ３２の押圧力に抗して保持凸部３５が使用状態保持凹部３３ａ又は折り畳み状態保持凹部３３ｂから外れ、その保持凸部３５が平坦な第１摺接面２２に摺接した状態となる。従って、使用状態又は折り畳み状態のときに、安全サークル６等に対して折り畳み状態側又は使用状態側にある程度強い力を加えて係合を解除してやれば、あとは折り畳み状態又は使用状態となるまで比較的弱い力でスムーズに姿勢を変化させることができる。
【００３１】
ところで、従来の子供用椅子では、安全サークルの回転動作がカラーやコイルバネを介してボルトに伝達される構造となっていたため、使用状態と折り畳み状態との間で姿勢変化を繰り返すと、ボルトが徐々に緩んでコイルバネによる押圧力が低下し、保持凹部に対する保持凸部の嵌合が弱くなって例えば折り畳み状態でしっかりと姿勢を保持することができなくなり、安全サークル、座部、ストッパー部等の自重、外部から伝わる振動等によって自然に使用状態側に開いてしまう場合があった。
【００３２】
これに対し、本実施形態の子供用椅子１では、上述したようにカラー１９の嵌合突起３１がナット１６側の嵌合穴２３に嵌合しているため、安全サークル６の回転動作に伴ってカラー１９が回転することはなく、従ってこのカラー１９を介して安全サークル６の回転動作がボルト１８側に伝わることはない。また、コイルバネ３２はその一端側が安全サークル６の突出壁２６に当接しているが、他端側はカラー１９の鍔部３０に当接しており、ボルト１８の頭部１８ｂには当接していないため、このコイルバネ３２が安全サークル６と共に回転したとしてもその回転動作がボルト１８に伝わることはない。
【００３３】
即ち、本実施形態の子供用椅子１では、安全サークル６の回転動作がカラー１９やコイルバネ３２を介してボルト１８に伝達されることがないため、使用状態と折り畳み状態との間で姿勢変化を繰り返しても、それによってボルト１８が緩むことがなく、従ってコイルバネ３２による押圧力も低下せず、使用状態及び折り畳み状態の姿勢を常にしっかり保持することが可能である。
【００３４】
以上、本考案の実施形態について詳述したが、本考案はこれらの実施形態に限定されるものではなく、本考案の趣旨を逸脱しない範囲で種々の変更が可能である。例えば、実施形態では、姿勢保持手段１５により、安全サークル（可動部）６を背もたれ部（本体部）３に対して折り畳み状態と使用状態の２つの姿勢で保持するように構成したが、姿勢保持手段１５は少なくとも折り畳み状態で保持可能であればよい。即ち、姿勢保持手段１５は、安全サークル（可動部）６を背もたれ部（本体部）３に対して折り畳み状態のみで保持可能に構成してもよいし、折り畳み状態と使用状態以外にそれらの中間状態でも保持可能に構成してもよい。
【００３５】
また、姿勢保持手段１５は、安全サークル（可動部）６を背もたれ部（本体部）３側に押圧するコイルバネ３２を備えた構成であればよく、例えばコイルバネ３２の押圧力によって生じる安全サークル（可動部）６と背もたれ部（本体部）３との間の摩擦により、折り畳み状態と使用状態との間の任意の姿勢で保持可能に構成してもよい。
【００３６】
回転阻止手段２４は、カラー（筒状体）１９の背もたれ部（本体部）３に対する軸廻りの回転を阻止できるものであればよく、例えば背もたれ部（本体部）３側に凸状の嵌合部３１を、安全サークル（可動部）６側に凹状の被嵌合部２３を設けてもよいし、背もたれ部（本体部）３側に凸状の嵌合部３１と凹状の被嵌合部２３とを、安全サークル（可動部）６側にそれらに対応する凹状の被嵌合部２３と凸状の嵌合部３１とを夫々設けてもよい。また、背もたれ部（本体部）３側の嵌合部３１又は被嵌合部２３は、ナット１６上ではなく例えばその周囲の第１摺接面２２上等に設けてもよい。
【００３７】
実施形態では、本体部と可動部として夫々背もたれ部３と安全サークル６とを採用した例を示したが、例えばその他の２つの部材、例えばストッパー部５と安全サークル６とを本体部と可動部とすることも可能である。
【００３８】
また、実施形態では本考案の折り畳み式器具を子供用椅子に適用した例を示したが、例えば子供用椅子と同様に公共施設の洗面所等の壁面に設置されるおむつ交換用ベッドなど、各種の折り畳み式器具についても同様に適用可能であることは言うまでもない。
【符号の説明】
【００３９】
１    子供用椅子
３    背もたれ部（本体部）
４    座部
５    ストッパー部
６    安全サークル（可動部）
１４    枢支手段
１５    姿勢保持手段
１６    ナット
１７    枢支孔
１８    ボルト
１８ａ  軸部
１９    カラー（筒状体）
２２    第１摺接面
２３    嵌合穴（被嵌合部）
２４    回転阻止手段
３０    鍔部
３１    嵌合突起（嵌合部）
３２    コイルバネ
３３    保持凹部（凹部）
３４    第２摺接面
３５    保持凸部（凸部）
【図１】
0003159525.tif 000003
【図２】
0003159525.tif 000004
【図３】
0003159525.tif 000005
【図４】
0003159525.tif 000006
【図５】
0003159525.tif 000007
【手続補正書】
【提出日】平成22年3月12日(2010.3.12)
【手続補正１】
【補正対象書類名】実用新案登録請求の範囲
【補正対象項目名】請求項５
【補正方法】変更
【補正の内容】
【請求項５】
前記折り畳み式器具は、前記本体部（３）を構成する背もたれ部（３）が壁面に固定されると共に、前記背もたれ部（３）の下部前側に連結された座部（４）と、その座部（４）の前側に連結されたストッパー部（５）と、前記可動部（６）を構成し且つ前記ストッパー部（５）と前記背もたれ部（３）とをそれらの左右両側で互いに連結する安全サークル（６）とを前記背もたれ部（３）に対して折り畳み可能に設けた子供用椅子（１）であることを特徴とする請求項１〜４の何れかに記載の折り畳み式器具。